(57)【要約】【課題】  薄型画像表示装置において、ベゼルとホルダー間の良好な導電性を確保し、シールド効果、コスト、組立て性に優れた薄型画像表示装置のベゼルの形状・構造、前面フィルターの取り付け方法・保持構造を提供すること。【解決手段】  前面フィルターを前後から挟み込むフロント側部材としてのベゼルと、リア側部材としてのホルダーとを一体化する。樹脂製のベゼルは、前面主外観をなす１つのフロント部と前面フィルターを保持する４つの保持部から成り、４つの保持部は折り返すことが可能な連結部により１つのフロント部と一体で成形される。ベゼルは、表層に導電手段が施され、１つのフロント部と折り返された４つの保持部とで前面フィルターを挟み込み保持する。【選択図】  図８
2009265248.tif 000002
【特許請求の範囲】
【請求項１】
内部に画像表示を行うための画像表示ユニットと、該画像表示ユニットの前面側に配置され少なくとも片面に導電層を有する前面フィルターと、該画像表示ユニットと該前面フィルターを覆う外装部材としてのベゼルと、を有する薄型画像表示装置において、樹脂製の該ベゼルは、前面主外観をなす１つのフロント部と該前面フィルターを保持する４つの保持手段から成り、４つの該保持手段は折り返すことが可能な連結手段により１つの該フロント部と一体で成形されるとともに、表層に導電手段が施され、１つの該フロント部と４つの該保持手段とで該前面フィルターを挟み込み保持したことを特徴とする薄型画像表示装置。
【請求項２】
内部に画像表示を行うための画像表示ユニットを有する薄型画像表示装置において、該画像表示ユニットと、該画像表示ユニットを覆う外装部材としてのリアカバーを、前記ベゼルの４つの前記保持手段に固定したことを特徴とする請求項１に記載の薄型画像表示装置。
【発明の詳細な説明】
【技術分野】
【０００１】
本発明は、薄型画像表示装置に関し、詳しくは、ベゼルの形状・構造、前面フィルターの取り付け方法・保持構造に関する技術である。
【背景技術】
【０００２】
従来の薄型画像表示装置の外観斜視図を図１４に、その上部断面図を図１５示す。
【０００３】
薄型画像表示装置１０１において、画像表示ユニット１０４を収容する外装部材としては、射出成型によって作製される樹脂製のベゼル１０２と、リアカバー１０３とから構成される。画像表示ユニット１０４は、構造部材として鉄・アルミニウム等からなるホルダー１０５に、ねじ１０６等の手段により締結される。ベゼル１０２は、ホルダー１０５に、ベゼル１０２に一体で形成されたボス１０７にねじ１０８等の手段により締結される。リアカバー１０３は、ホルダー１０５にねじ１０９等の手段により締結される。
【０００４】
画像表示ユニット１０４の前面側のベゼル１０２の開口部には、可視光を透過させる光学フィルターおよび画像表示ユニット１０４の保護を兼ねたガラス等からなる前面フィルター１１０が配置される。前面フィルター１１０の片面には、画像表示ユニット１０４から輻射される不要な電磁波を抑制するため、導電層１１１が設けられる。
【０００５】
前面フィルター１１０の周縁部には、一方の面から他方の面に渡って、導電層１１１に電気的に接続される導電部材としての導電テープ１１２が貼り付けられる。また、前面フィルター１１０の周縁部には、弾性を有する導電部材としての導電スポンジ１１３、１１４が備えられる。そして、ベゼル１０２には、表層の導電性を確保するため、導電塗料が塗布される、あるいは、メッキが施される。導電スポンジ１１３、１１４を介してベゼル１０２とホルダー１０５とで前面フィルター１１０を挟み込み保持することにより、前面フィルター１１０の導電層１１１が導電テープ１１２、導電スポンジ１１３、１１４を介してベゼル１０２とホルダー１０５とに電気的に接続される。
【０００６】
前面フィルター１１０の取り付け構造としては、上述のごとくベゼル１０２とホルダー１０５とで前面フィルター１１０を前後から挟み込み保持する構造が一般的である。例えば、公開特許２００２−３７２９１７公報、ならびに、公開特許平９−１７１３５３公報には、前面フィルター１１０のこのような取り付け構造が示されている。
【特許文献１】特開２００２−３７２９１７号公報
【特許文献２】特開平９−１７１３５３号公報
【発明の開示】
【発明が解決しようとする課題】
【０００７】
しかしながら、このような構成の薄型画像表示装置では、ベゼルとホルダーが別部品であり、ベゼルにボスを形成してホルダーをねじ止めして取り付けているため、導電性はねじ止め部の点接触だけで与えられている。ねじの締め付け状態によっては導電性が不安定になりやすく、画像表示ユニットから輻射される不要な電磁波を抑制するシールド効果が低下してしまう。以上のような状況に鑑み、本発明は、ベゼルとホルダー間の良好な導電性を確保し、シールド効果、コスト、組立て性に優れた薄型画像表示装置のベゼルの形状・構造、前面フィルターの取り付け方法・保持構造を提供することが目的である。
【課題を解決するための手段】
【０００８】
上記課題を解決するために、本発明は、画像表示ユニットを用いた薄型画像表示装置において、樹脂製のベゼルは、前面主外観をなす１つのフロント部と前面フィルターを保持する４つの保持手段から成り、４つの保持手段は折り返すことが可能な連結手段により１つのフロント部と一体で成形された、ことを特徴とする。
【０００９】
さらに、本発明は、ベゼルは、表層に導電手段が施され、１つのフロント部と４つの保持手段とで前面フィルターを挟み込み保持した、ことを特徴とする。
【発明の効果】
【００１０】
以上述べたように本発明によれば、ベゼルとホルダーを別部品ではなく一体化するので、両者間のねじ止めによる導電性の不安定さが解消され、良好な導電性を確保出来る。よって、画像表示ユニットから輻射される不要な電磁波を抑制する前面フィルターからベゼルに至るシールド効果、コスト、組立て性に優れた薄型画像表示装置のベゼルの形状・構造、前面フィルターの取り付け方法・保持構造を提供することが出来る。
【発明を実施するための最良の形態】
【００１１】
次に、本発明の詳細を実施例の記述に従って説明する。
【実施例１】
【００１２】
本発明による薄型画像表示装置の、画像表示ユニットから輻射する不要な電磁波を抑制ための、ベゼルの形状・構造、前面フィルターの取り付け方法・保持構造の実施形態を、以下に示す図１から図９に基づき説明する。
【００１３】
図１は、本発明の第一の実施例を示し、画像表示ユニット２を収容する外装部材としてのベゼル３を前面側から見た正面図である。図２は、ベゼル３を背面側から見た背面図である。図３は、ベゼル３のリア部５、６、７、８を折り返して前面側から見た正面図である。図４は、リア部５、６、７、８を折り返したベゼル３を背面側から見た背面図である。図５は、ベゼル３を図１、図２の矢印Ａ方向から見た断面図である。
【００１４】
本発明の第一の実施例によるベゼル３は、射出成型によって作製される樹脂製であり、前面主外観をなす１つのフロント部４と前面フィルター２５を保持する４つの保持部５、６、７、８から成り、これらは一体で成形される。ベゼル３は上／下、左／右が対象であることから、下の保持部６、左の保持部７、右の保持部８の説明は省略し、上の保持部５で代表させる。
【００１５】
連結部９、１０、１１、１２、１３は、フロント部４と保持部５をつなぐための連結手段であり、フロント部４と保持部５と一体で成形される。連結部９〜１３は、保持部５を図５に示す背面側から時計回り（矢印Ｂ方向）にフロント部４に向かって折り返すことが可能な位置に形成され、連結部９〜１３の板厚Ｃは図５に示すごとく、保持部５を折り返すことが可能な０．５ｍｍ程度に形成される。さらに、保持部５を容易に折り返すことが可能なよう、図１、および、図２に示すごとく、連結部９〜１３の間には幅狭のスリット１４、１５、１６、１７が設けられる。いっぽう、連結部９〜１３の幅Ｄは図１に示すごとく、射出成型時に樹脂が過不足なく保持部５に流動・充填するよう、１００〜２００ｍｍ程度が確保される。なお、ベゼル３の材質としては、保持部５を折り返すことが可能なよう、柔軟性に富んだ樹脂が好適である。
【００１６】
ベゼル３は、図６、図７、図８の各断面図に示すごとく、保持部５を折り返してフロント部４に固定される。連結部９、１０、１１、１２、１３は上述の説明のごとく折り返すことが可能であり、フロント部４に形成されたボス１８、１９、２０に、保持部５に形成された穴２１、２２、２３を介して、ねじ２４等により固定される。なお、本実施例では、保持部５の固定手段をねじ２４によるものとしたが、弾性爪を形成し固定手段としてもよい。
【００１７】
本発明の第一の実施例によるベゼル３は、フロント部４と折り返された保持部５、６、７、８とで前面フィルター２５を挟み込み保持する。図６は、図５に前面フィルター２４、電磁波シールド層２６、導電テープ２７、導電スポンジ２８、２９を所定の位置に記載した断面図である。図７は、図６よりベゼル３のリア部５を折り返した断面図である。図８は、図７よりベゼル３のリア部５をフロント部４に固定した断面図である。
【００１８】
図６、図７、図８において、画像表示ユニット２の前面側のベゼル３の開口部には、可視光を透過させる光学フィルターおよび画像表示ユニット２の保護を兼ねたガラス等からなる前面フィルター２５が配置される。前面フィルター２５の片面、画像表示ユニット２側には、画像表示ユニット２から輻射される不要な電磁波を抑制するため、導電層２６が設けられる。
【００１９】
前面フィルター２５の周縁部には、一方の面から他方の面に渡って、導電層２６に電気的に接続される導電部材としての導電テープ２７が貼り付けられる。また、前面フィルター２５の周縁部には、弾性を有する導電部材としての導電スポンジ２８、２９が備えられる。そして、ベゼル３には、表層の導電性を確保するため、図５に示すＥの範囲に導電塗料が塗布される。あるいは、導電塗料の代わりにメッキを施してもよい。導電スポンジ２８、２９を介して、ベゼル３のフロント部４と保持部５とで前面フィルター２５を挟み込み保持することにより、前面フィルター２５の導電層２６が導電テープ２７、導電スポンジ２８、２９を介してベゼル３のフロント部４と保持部５とに電気的に接続される。
【００２０】
なお、本発明の第一の実施例では、保持部５にリブ３０、３１、３２が形成され、直接はリブ３０、３１、３２とフロント部４とで前面フィルター２５を挟み込み保持しているが、保持部５側を面接触とし前面フィルター２５を挟み込み保持してもよい。
【００２１】
以上説明してきたように、本発明の第一の実施例では、樹脂製のベゼル３は、前面主外観をなす１つのフロント部４と前面フィルター２５を保持する４つの保持部５、６、７、８から成り、これら保持部５、６、７、８は折り返すことが可能な連結部９、１０、１１、１２、１３によりフロント部４と一体で成形され、フロント部４と保持部５、６、７、８とで前面フィルター２５を挟み込み保持したことにより、ベゼル３とホルダー間のねじ止めによる導電性の不安定さが解消され、良好な導電性を確保出来る。このような構造にすることで、前面フィルター２５とベゼル３の導電性が略一体化されるため、内部に保持される画像表示ユニット２から輻射される不要な電磁波を抑制するシールド効果が向上可能になるという効果が得られる。
【００２２】
また、本発明の第一の実施例では、ホルダーを廃止したことにより、部品点数の削減と型代の削減という効果が得られるとともに、ホルダーに替えてベゼル３のフロント部４に保持部５、６、７、８を一体で成形したことにより、正確な位置決めが出来、組立てを簡略化出来るという効果が得られる。
【００２３】
以上のような構造により、本発明の第一の実施例では、画像表示ユニット２から輻射される不要な電磁波を抑制する前面フィルター２５からベゼル３に至るシールド効果、コスト、組立て性に優れた薄型画像表示装置１のベゼル３の形状・構造、前面フィルター２５の取り付け方法・保持構造を提供することが出来る。
【実施例２】
【００２４】
次に、本発明の第二の実施例として、画像表示ユニット２と、画像表示ユニット２を覆う外装部材としてのリアカバー３３を、ベゼル３の４つの保持部５、６、７、８に固定した薄型画像表示装置１について、図９から図１３に基づき説明する。なお、第一の実施例と同一の内容については説明を割愛する。
【００２５】
図９は、本発明の第二の実施例を示し、画像表示ユニット２を収容する外装部材としてのベゼル３を前面側から見た正面図である。図１０は、ベゼル３を背面側から見た背面図である。図１１は、ベゼル３のリア部５、６、７、８を折り返して前面側から見た正面図である。図１２は、リア部５、６、７、８を折り返したベゼル３を背面側から見た背面図である。図１３は、第二の実施例の画像表示ユニット２とリアカバー３３をベゼル３の保持部部５、６、７、８に固定した断面図である。
【００２６】
図１３に示すように、画像表示ユニット２は保持部５に形成されたボス３４、３５、３６、３７、３８、３９に、画像表示ユニット２のフレーム４０に形成された穴４１等を介してねじ４２等により固定され、リアカバー３３は保持部５に形成されたボス４３、４４、４５、４６、４７、４８に、リアカバー３２に形成された不図示の穴を介してねじ４９等により固定される。
【００２７】
そして、ベゼル３には、画像表示ユニット２のフレーム４０とリアカバー３３と接触する図１３に示すＦの範囲、すなわち、図９と図１２に示す斜線部の範囲に、表層の導電性を確保するため、導電塗料が塗布される。あるいは、導電塗料の代わりにメッキを施してもよい。
【００２８】
以上、本発明の第二の実施例では、前面フィルター２５とベゼル３とリアカバー３３の導電性が略一体化されるため、内部に保持される画像表示ユニット２から輻射される不要な電磁波を抑制する前面フィルター２５からベゼル３とリアカバー３３に至るシールド効果が向上可能になるという効果が得られる。
【図面の簡単な説明】
【００２９】
【図１】第一の実施例のベゼルを前面側から見た正面図である。
【図２】第一の実施例のベゼルを背面側から見た背面図である。
【図３】第一の実施例のベゼルの保持部を折り返して前面側から見た正面図である。
【図４】第一の実施例のベゼルの保持部を折り返して背面側から見た背面図である。
【図５】第一の実施例のベゼルを図１、図２の矢印Ａ方向から見た断面図である。
【図６】図５に前面フィルター、導電層、導電テープ、導電スポンジを所定の位置に記載した断面図である。
【図７】図６よりベゼルの保持部を折り返した断面図である。
【図８】図７よりベゼルの保持部をフロント部に固定した断面図である。
【図９】第二の実施例のベゼルを前面側から見た正面図である。
【図１０】第二の実施例のベゼルを背面側から見た背面図である。
【図１１】第二の実施例のベゼルの保持部を折り返して前面側から見た正面図である。
【図１２】第二の実施例のベゼルの保持部を折り返して背面側から見た背面図である。
【図１３】第二の実施例の画像表示ユニットとリアカバーをベゼルの保持部に固定した断面図である。
【図１４】従来例の薄型画像表示装置の外観斜視図である。
【図１５】従来例の薄型画像表示装置の上部断面図である。
【符号の説明】
【００３０】
１  薄型画像表示装置
２  画像表示ユニット
３  ベゼル
４  ベゼルのフロント部
５、６、７、８  ベゼルの保持部
９、１０、１１、１２、１３  フロント部とリア部の連結部
１４、１５、１６、１７  スリット
１８、１９、２０  ボス
２１、２２、２３  穴
２４  ねじ
２５  前面フィルター
２６  導電層
２７  導電テープ
２８、２９  導電スポンジ
３０、３１、３２  リブ
３３  リアカバー
３４、３５、３６、３７、３８、３９  ボス
４０  フレーム
４１  穴
４２  ねじ
４３、４４、４５、４６、４７、４８  ボス
４９  ねじ
【図１】
2009265248.tif 000003
【図２】
2009265248.tif 000004
【図３】
2009265248.tif 000005
【図４】
2009265248.tif 000006
【図５】
2009265248.tif 000007
【図６】
2009265248.tif 000008
【図７】
2009265248.tif 000009
【図８】
2009265248.tif 000010
【図９】
2009265248.tif 000011
【図１０】
2009265248.tif 000012
【図１１】
2009265248.tif 000013
【図１２】
2009265248.tif 000014
【図１３】
2009265248.tif 000015
【図１４】
2009265248.tif 000016
【図１５】
2009265248.tif 000017